(57)【要約】【課題】便器洗浄装置を強固に取付けることができ、かつ小型化を図ることができる水洗式便器を提供する。【解決手段】水洗式便器は、便器本体１０、便器洗浄装置２０及び固定プレート３０を備えている。便器本体１０は、便鉢部１１と、便鉢部１１の上端周縁に連続し、便鉢部１１の後方に延びて形成された上面部１２とを有している。便器洗浄装置２０は、外部から洗浄水が流入し、便鉢部１１へ洗浄水を流出可能である。固定プレート３０は、前部が便鉢部１１より後方の上面部１２に載置され、後部が上面部１２から後方にはみ出しており、後部１２の上面に便器洗浄装置２０が取り付けられた薄板状である。この固定プレート３０の前部は、上面が平坦であり、便座装置６３を載置可能であり、便座装置６０を便器本体１０に取付けることにより、固定プレート３０の前部が便座装置６０の後部と便器本体１０の上面部１２の後部との間に挟持される。【選択図】図４
2010275807.tif 000002
【特許請求の範囲】
【請求項１】
便鉢部と、便鉢部の上端周縁に連続し、便鉢部の後方に延びて形成された上面部とを有する便器本体と、
外部から洗浄水が流入し、前記便鉢部へ洗浄水を流出可能な便器洗浄装置と、
前部が前記便鉢部より後方の前記上面部に載置され、後部が上面部から後方にはみ出しており、後部の上面に前記便器洗浄装置が取り付けられた薄板状の固定プレートとを備え、
この固定プレートの前部は、上面が平坦であり、便座を回動自在に保持した便座装置を載置可能であり、便座装置を前記便器本体に取付けることにより、固定プレートの前部が便座装置の後部と便器本体の上面部の後部との間に挟持されることを特徴とする水洗式便器。
【請求項２】
前記便器本体は、前記便鉢部より後方の上面部に貫設され、所定間隔を有して左右に配置された一対の取付孔を有し、前記固定プレートはこの取付孔に対応する位置に貫設された一対の固定孔を有し、前記固定孔及び前記取付孔に前記便座装置の下面から下方の延びる取付ボルトが上方から挿入され、取付ボルトの下端からナットを締め込むことにより、便座装置及び固定プレートが便器本体の上面部に取付けられることを特徴とする請求項１記載の水洗式便器。
【請求項３】
前記便器本体は、前記便鉢部の下流側に連通する便器排水路を有し、前記上面部の後端面は便器排水路を形成する便器本体の後端外側面より前方に位置していることを特徴とする請求項１又は２記載の水洗式便器。
【請求項４】
前記便器本体は、前記上面部の後部の左右側部が下方に空間を有する庇状に形成されており、前記固定プレートの左右端部に連結され、上面部の後部の左右側部を前記固定プレートとの間で挟持する固定部材を有していることを特徴とする請求項１乃至３のいずれか１項記載の水洗式便器。
【請求項５】
一端を前記固定プレートに連結させ、他端を前記便器本体の後部外側面に当接させて前記固定プレートを水平状態に保持する補強部材を有していることを特徴とする請求項１乃至４のいずれか１項記載の水洗式便器。
【請求項６】
前記便器洗浄装置は洗浄水を蓄圧状態で貯留する蓄圧装置を有し、この蓄圧装置は前記固定プレートの後部の下面に取り付けられていることを特徴とする請求項１乃至５のいずれか１項記載の水洗式便器。
【請求項７】
前記便器本体の後部左右側面に取り付けられ、前記便器本体の上面から下方に延びて便器本体の後部を隠蔽する一対のカバーを備え、各カバーの上端部には内側に延び、前記便座装置と便器本体の上面部の後部との間に挿入される挿入片が形成されていることを特徴とする請求項１乃至６のいずれか１項記載の水洗式便器。
【発明の詳細な説明】
【技術分野】
【０００１】
本発明は水洗式便器に関する。
【背景技術】
【０００２】
特許文献１には従来の水洗式便器が開示されている。この水洗式便器は、便器本体と便器洗浄装置とを備えている。便器本体は、便鉢部と、便鉢部の上端周縁に連続して形成され、便鉢部の後方に伸びる上面部とを有している。便器洗浄装置は、外部から洗浄水が流入し、便鉢部へ洗浄水を流出可能である。便器本体の上面部の左右後端部には固定孔が貫設されている。固定孔には固定プレートがボルト固定されている。固定プレートは、便器本体の後端部より後方にはみ出しており、そこに便器洗浄装置が取り付けられている。
【０００３】
また、この水洗式便器の便器本体は、便鉢部より後方の上面部に所定間隔を有する一対の取付孔が貫設されている。この取付孔に便座を回動自在の保持した便座装置の下面から下方に延びる取付ボルトを挿入し、取付ボルトの下端からナットを締め付けることにより、便座装置を便器本体に取り付けることができる。
【先行技術文献】
【特許文献】
【０００４】
【特許文献１】特開２００１−１５２５３０号公報
【発明の概要】
【発明が解決しようとする課題】
【０００５】
しかし、上記従来の水洗式便器では、固定プレートの前端部が便器本体の上面部の後端部にボルト固定されているのみであるため、便器洗浄装置の固定強度が不足するおそれがある。また、便器本体の上面部に固定孔と取付孔とを貫設し、便器洗浄装置と便座装置とを別々に取り付ける構造とされているため、便器本体の上面部の後部が前後方向に長くなる。このため、便器本体の小型化が困難である。
【０００６】
本発明は、上記従来の実情に鑑みてなされたものであって、便器洗浄装置を強固に取付けることができ、かつ小型化を図ることができる水洗式便器を提供することを解決すべき課題としている。
【課題を解決するための手段】
【０００７】
本発明の水洗式便器は、便鉢部と、便鉢部の上端周縁に連続し、便鉢部の後方に延びて形成された上面部とを有した便器本体と、
外部から洗浄水が流入し、前記便鉢部へ洗浄水を流出可能な便器洗浄装置と、
前部が前記便鉢部より後方の前記上面部に載置され、後部が上面部から後方にはみ出しており、後部の上面に前記便器洗浄装置が取り付けられた薄板状の固定プレートとを備え、
この固定プレートの前部は、上面が平坦であり、便座を回動自在に保持した便座装置を載置可能であり、便座装置を前記便器本体に取付けることにより、固定プレートの前部が便座装置の後部と便器本体の上面部の後部との間に挟持されることを特徴とする。
【０００８】
この水洗式便器では、便座装置を便器本体に取り付けることにより、固定プレートの前部が便座装置の後部と便器本体の上面部の後部との間に挟持されるため、固定プレートを便器本体に強固に固定することができる。つまり、固定プレートに取り付けられた便器洗浄装置も便器本体に強固に取付けることができる。また、固定プレートの前部に便座装置を載置した状態で固定プレート及び便座装置を便器本体に取り付けることができるため、便器本体の上面部の後部の前後方向の長さが短いものに対しても便器洗浄装置を強固に取付けることができる。
【０００９】
したがって、本発明の水洗式便器は、便器洗浄装置を強固に取付けることができ、かつ小型化を図ることができる。
【００１０】
前記便器本体は、前記便鉢部より後方の上面部に貫設され、所定間隔を有して左右に配置された一対の取付孔を有し、前記固定プレートはこの取付孔に対応する位置に貫設された一対の固定孔を有し、前記固定孔及び前記取付孔に前記便座装置の下面から下方の延びる取付ボルトが上方から挿入され、取付ボルトの下端からナットを締め込むことにより、便座装置及び固定プレートが便器本体の上面部に取付けられ得る。この場合、便座装置及び便器洗浄装置が取付けられた固定プレートを容易に便器本体に取付けることができる。また、市販の便座装置もこの便器本体に取付けることができる。
【００１１】
前記便器本体は、前記便鉢部の下流側に連通する便器排水路を有し、前記上面部の後端面は便器排水路を形成する便器本体の後端外側面より前方に位置し得る。この場合、便器本体の上面部の後部が前後方向に短くなり、水洗式便器の小型化を図ることができる。
【００１２】
前記便器本体は、前記上面部の後部の左右側部が下方に空間を有する庇状に形成されており、前記固定プレートの左右端部に連結され、上面部の後部の左右側部を前記固定プレートとの間で挟持する固定部材を有し得る。この場合、固定プレートの前部の上面に固定部材が突出することなく、便器洗浄装置が取り付けられた固定プレートを固定部材により便器本体に強固に取付けることができる。
【００１３】
一端を前記固定プレートに連結させ、他端を前記便器本体の後部外側面に当接させて前記固定プレートを水平状態に保持する補強部材を有し得る。この場合、補強部材が固定プレートの後部を押し下げる力に対抗することができるため、便器洗浄装置を上方から押し下げる不慮の力がかかったとしても、便器洗浄装置を取付位置に保持することができる。
【００１４】
前記便器洗浄装置は洗浄水を蓄圧状態で貯留する蓄圧装置を有し、この蓄圧装置は前記固定プレートの後部の下面に取り付けられ得る。この場合、蓄圧装置をデッドスペースである固定プレートの後部の下方に配置することができる。このため、水洗式便器の小型化を図ることができる。また、蓄圧装置に蓄圧状態で貯留された洗浄水を便器洗浄に利用することにより、便器洗浄を良好に行なうことができる。特に、洗浄水の給水圧力が低い場合でも、便器洗浄を良好に行うことができる。
【００１５】
前記便器本体の後部左右側面に取り付けられ、前記便器本体の上面から下方に延びて便器本体の後部を隠蔽する一対のカバーを備え、各カバーの上端部には内側に延び、前記便座装置と便器本体の上面部の後部との間に挿入される挿入片が形成され得る。この場合、カバーを容易に取付けることができる。また、便座装置と便器本体の上面部の後部との間の隙間がなくなるとともに、固定プレートの前部の上面と挿入片の上面とを面一にすることができるため、便座装置が左右にがたつくことがなく、取付状態を安定させることができる。
【図面の簡単な説明】
【００１６】
【図１】実施例１の便器本体及び固定プレートを示す分解図である。
【図２】実施例１の便器洗浄装置の施工手順を示す斜視図である。
【図３】実施例１の固定プレートの取付状態を示す要部断面図である。
【図４】実施例１の便座装置の施工手順を示す斜視図である。
【図５】実施例１の水洗式便器の斜視図である。
【図６】実施例１の水洗式便器の要部側面図である。
【図７】実施例１のカバーの施工手順を示す斜視図である。
【図８】実施例１の水洗式便器の後部断面図である。
【図９】実施例１の水洗式便器を示す斜視図である。
【図１０】実施例２の水洗式便器を示す斜視図である。
【発明を実施するための形態】
【００１７】
本発明の水洗式便器を具体化した実施例１及び２を図面を参照しつつ説明する。
【実施例１】
【００１８】
実施例１の水洗式便器は、図１〜図９に示すように、便器本体１０、便器洗浄装置２０及び固定プレート３０を備えている。また、便器本体１０は、後部左右側面に取り付けられたカバー７０Ｌ、７０Ｒを備えている。
【００１９】
便器本体１０は、便鉢部１１と、便鉢部１１の上端周縁に連続して形成され、便鉢部１１の後方に延びる上面部１２とを有している。また、便器本体１０は便鉢部１１を包囲する台座部１３を有している。
【００２０】
便鉢部１１より後方の上面部１２には、図１に示すように、所定間隔を有して左右に配置された一対の取付孔１４が貫設されている。便器本体１０の前端からの各取付孔１４の位置及び各取付孔１４間の寸法は、ＪＩＳ規格に定められたものである。上面部１２の後部の左右側部１２Ｌ、１２Ｒは、下方に空間を有する庇状に形成されている。また、便器本体１０の後部の左右下端には貫通孔１７Ａが形成された床固定部１７が形成されている。
【００２１】
便器本体１０は、図６に示すように、便鉢部１１の下流側に連通する便器排水路１５を有している。便器本体１０の上面部１２の後端面１２Ｂは、便器排水路１５を形成する便器本体１０の後端外側面１６より前方に位置している。このため、便器本体１０の上面部１２の後部が前後方向に短くなり、便器本体１０の小型化が図られている。
【００２２】
便器洗浄装置２０は、弁ユニット２２と、弁ユニット２２の一部を収納する収納ケース２１とを有している。弁ユニット２２は電磁駆動式の開閉弁機構とストレーナ機構とを内蔵している。弁ユニット２２は収納ケース２１内から下方に突出している。収納ケース２１の下方に突出した弁ユニット２２に設けられた流入口２２Ａには、便器本体１０が設置されたトイレ室に引き出された水道管に上流端が接続される給水配管Ｓの下流端が接続されている。また、弁ユニット２２に設けられたリム用流出管２３Ａ及びジェット用流出管２３Ｂは、後述する固定プレート３０に取り付けられた接続部材１８によって形成されたリム用流入口１８Ａ及びジェット用流入口１８Ｂに夫々が挿入され、接続されている。
【００２３】
収納ケース２１の下面には、図２に示すように、下方に延びる一対のボルトＢ１が設けられている。収納ケース２１の側面には洗浄ボタン２４が設けられている。洗浄ボタン２４が押されることにより、開閉弁機構が開弁され、便器洗浄装置２０から洗浄水が流出し、便器本体１０のリム通水路及びジェットノズルへ洗浄水が供給される。収納ケース２１内には、開閉弁機構を制御する制御装置も収納されている。
【００２４】
便器本体１０の便鉢部１１より後方の上面部１２には、図１及び図２に示すようにステンレス製の薄板状の固定プレート３０の前部が載置され、取付けられている。固定プレート３０の前部は上面が平坦である。固定プレート３０の前部には、便器本体１０の上面部１２に貫設された取付孔１４に対応する位置に一対の第１固定孔３１が貫設されている。
【００２５】
また、固定プレート３０の前部には、左右端部から連続して垂下した第１垂下片部３２Ｌ、３２Ｒが形成されている。第１垂下片部３２Ｌ、３２Ｒの下端には連続して水平方向に延びる水平面部３３Ｌ、３３Ｒが形成されている。さらに、水平面部３３Ｌ、３３Ｒの外側端から連続して垂下する爪部３４Ｌ、３４Ｒが形成されている。水平面部３３Ｌ、３３Ｒには螺子孔が貫設されている。
【００２６】
便器本体１０の上面部１２から後方にはみ出した固定プレート３０の後部には、便器洗浄装置２０の各ボルトＢ１間と同じ間隔を有する第２固定孔３５が貫設されている。この第２固定孔３５に対して、便器洗浄装置２０を固定プレート３０の上方から下降させ、各ボルトＢ１を挿通させ、各ボルトＢ１の下端から第１ナットＮ１を締め付けることにより、便器洗浄装置２０は固定プレート３０の後部に取り付けられている。
【００２７】
また、便器本体１０の前方から見て左側に位置する固定プレート３０の後部の端部には、上方に立設する立上げ片部３７が形成されている。立上げ片部３７の上端には連続して水平方向に延びる水平面部３８が形成されている。水平面部３８には、接続部材１８が嵌め込まれる貫通孔３８Ａ、３８Ｂが貫設されている。また、固定プレート３０の後部の中央部には、２つの螺子孔を有する第２垂下片部３６が形成されている。
【００２８】
第１垂下片部３２Ｌ、３２Ｒに形成された水平面部３３Ｌ、３３Ｒには、固定部材４０Ｌ、４０Ｒが連結されている。固定部材４０Ｌ、４０Ｒは、水平面部３３Ｌ、３３Ｒの螺子孔を挿通した螺子Ｃ１がねじ込まれる結合片４１と、結合片４１の内側に連続して溝状に形成された連結部４２と、連結部４２の内側に連続して形成された挟持片部４３とを有している。固定部材４０Ｌ、４０Ｒは、図３に示すように、螺子Ｃ１をねじ込み、上方に移動させる。これにより、上面部１２の後部の左右側部１２Ｌ、１２Ｒの下面に挟持片部４３の上面が当接し、上面部１２の後部の左右側部１２Ｌ、１２Ｒを固定プレート３０との間で強固に挟持している。このため、固定プレート３０の前部の上面に固定部材４０Ｌ、４０Ｒが突出することなく、固定プレート３０を便器本体１０に強固に取付けることができる。
【００２９】
第２垂下片部３６には、図１、図５及び図６に示すように、補強部材５０が連結されている。補強部材５０の一端には、第２垂下片部３６に螺子止めされた連結片部５１が形成されている。補強部材５０の他端には、便器本体１０の後部外側面に当接する当接部５２が形成されている。連結片部５１と当接部５２とは連結棒５３によって連結されている。連結棒５３は、連結片部５１に結合された棒状部材５３Ａと、棒状部材５３Ａが挿入される筒状部材５３Ｂとから形成されている。棒状部材５３Ａの先端部には雄ネジが形成され、筒状部材５３Ｂの内面には雌ネジが形成されている。このため、筒状部材５３Ｂを回転させることにより、連結棒５３は軸方向に伸縮可能であり、当接部５２が便器本体１０の後部外側面に当接するように調整されている。このため、補強部材５０が固定プレート３０の後部を押し下げる力に対抗することができるため、便器洗浄装置２０を上方から押し下げる不慮の力がかかったとしても、便器洗浄装置２０を取付位置に保持することができる。
【００３０】
便器本体１０に取り付けられた固定プレート３０の前部は、上面が平坦であるため、図４に示すように、便器洗浄装置２０とは別体の便座装置６０を載置可能である。便座装置６０は、局部洗浄装置等の機能装置を収納する便座ボックス６１と便座ボックスに回動可能に軸支された便座６２及び便蓋６３とを有している。便座ボックス６１の下面には下方に延び、所定間隔を有する一対の取付ボルトＢ２が設けられている。
【００３１】
便座装置６０を便器本体１０の上方から下降させ、各取付ボルトＢ２を固定プレート３０の第１固定孔３１及び便器本体１０の取付孔１４に挿通させる。各取付ボルトＢ２の下端から第２ナットＮ２を締め付けることにより、便座装置６０は便器本体１０に取り付けられている。このように、便座装置６０を容易に便器本体１０に取付けることができる。また、便器本体１０に取り付けられた固定プレート３０の前部は上面が平坦であり、固定プレート３０の第１固定孔３１及び便器本体１０の取付孔１４は所定間隔を有して左右に配置されているため、市販の便座装置も便器本体１０に取付けることができる。
【００３２】
この際、固定プレート３０の前部が便座装置６０の後部（便座ボックス６１の下面）と便器本体１０の上面部１２の後部との間に挟持される。このため、固定プレート３０は便器本体１０に強固に固定されている。つまり、固定プレート３０に取り付けられた便器洗浄装置２０も便器本体１０に強固に取り付けられている。また、固定プレート３０の前部に便座装置６０を載置した状態で固定プレート３０及び便座装置６０を便器本体１０に取り付けることができるため、便器本体１０の上面部１２の後部の前後方向の長さを短いものに対しても便器洗浄装置２０を取り付けることができる。
【００３３】
したがって、実施例１の水洗式便器は、便器洗浄装置を強固に取り付けることができ、かつ小型化を図ることができる。
【００３４】
便器本体１０の後部左右側面には、図７〜図９に示すように、便器本体１０の上面から下方に延びて便器本体１０の後部を隠蔽する一対のカバー７０Ｌ、７０Ｒが取り付けられている。各カバー７０Ｌ、７０Ｒの上端部には内側に延びる挿入片７１Ｌ、７１Ｒが形成されている。挿入片７１Ｌ、７１Ｒの外形状は、固定プレート３０の前部の左右外周縁形状に沿った形状である。また、挿入片７１Ｌ、７１Ｒの厚さは、固定プレート３０の厚さと等しく形成されている。このため、便器本体１０に便座装置６０が取付けられた後、挿入片７１Ｌ、７１Ｒを便座装置６０と便器本体１０の上面部１２の後部との間に挿入させることができる。よって、カバー７０Ｌ、７０Ｒは容易に取り付けることができる。また、便座装置６０と便器本体１０の上面部１２の後部との間の隙間がなくなるとともに、固定プレート３０の前部の上面と挿入片７１Ｌ、７１Ｒの上面とが面一になるため、便座装置６０が左右にがたつくことがなく、取付状態を安定させることができる。
【００３５】
カバー７０Ｌ、７０Ｒの内側下部には結合部材７３が設けられている。結合部材７３は、カバー７０Ｌ、７０Ｒの内側面に接合されたブロック部材７３Ｂと、ブロック部材７３Ｂに嵌合される嵌着部材７３Ａとから構成されている。嵌着部材７３Ａは、弾性を有し、便器本体側に向けて開口するＣ字状に形成された嵌着部を有している。便器本体１０の床固定部１７には、貫通孔１７Ａを挿通し床面Ｆにねじ込まれたビスＤの頭部を挿入した筒部材Ｐが上方に立設している。
【００３６】
カバー７０Ｌ、７０Ｒは、上端部に形成された挿入片７１Ｌ、７１Ｒを便座装置６０と便器本体１０の上面部１２の後部との間に挿入させた後、下部が便器本体１０側に押し込まれる。これにより、嵌着部材７３Ａの嵌着部が筒部材Ｐに嵌合し、カバー７０Ｌ、７０Ｒは便器本体１０の後部左右側面に取り付けられる。このように、カバー７０Ｌ、７０Ｒは便器本体１０の後部左右側面に容易に取付けることができる。
【００３７】
カバー７０Ｌ、７０Ｒの下端部には、切欠き部が設けられ、この切欠き部を閉鎖する閉鎖部材７２Ｌ、７２Ｒが取り付けられている。閉鎖部材７２Ｌ、７２Ｒは、一方を取り外し給水配管Ｓが挿通されている。
【００３８】
次に、実施例１の水洗式便器の組付け工程及び施工手順を説明する。
【００３９】
先ず、便器本体１０に固定プレート３０を取り付ける。つまり、図２及び図３に示すように、固定部材４０Ｌ、４０Ｒにより、上面部１２の後部の左右側部１２Ｌ、１２Ｒを固定プレート３０との間で挟持する。固定プレート３０の前部の上面に固定部材４０Ｌ、４０Ｒが突出することなく、固定プレート３０の前部の上面は平坦である。
【００４０】
この状態で、図５に示すように、リム用流入口１８Ａはリム用配管２５Ａを介して便鉢部１２の上部周縁部に形成されたリム通水路に連通される。また、ジェット用流入口１８Ｂは、ジェット用配管２５Ｂを介して便鉢部１２の下部に取り付けられたジェットノズルに連通される。以上が便器本体１０と固定プレート３０との組付け工程である。
【００４１】
次に、固定プレート３０が組み付けられた便器本体１０をトイレ室の床面Ｆに固定する。つまり、便器本体１０の前側は台座部１３内に設けられた図示しない固定機構により床面Ｆに固定する。便器本体１０の後側は、図２に示すように、床固定部１７の貫通孔１７ＡにビスＤを挿入し、床面Ｆにねじ込む。その後、ビスＤの頭部に筒部材Ｐを挿入する。
【００４２】
次に、便器洗浄装置２０を固定プレート３０の後部に取り付ける。つまり、第２固定孔３５に対して、便器洗浄装置２０を固定プレート３０の上方から下降させ、各ボルトＢ１を挿通させ、各ボルトＢ１の下端から第１ナットＮ１を締め付ける。この際、便器洗浄装置２０の弁ユニット２２に設けられたリム用流出管２３Ａ及びジェット用流出管２３Ｂは、接続部材１８によって形成されたリム用流入口１８Ａ及びジェット用流入口１８Ｂに夫々が挿入され、接続される。また、弁ユニット２２に設けられた流入口２２Ａに接続された給水配管Ｓの上流端はトイレ室に引き出された水道管に接続される。
【００４３】
次に、便座装置６０を便器本体１０に取り付ける。つまり、図４に示すように、便座装置６０を便器本体１０の上方から下降させ、各取付ボルトＢ２を固定プレート３０の第１固定孔３１及び便器本体１０の取付孔１４に挿通させ、各取付ボルトＢ２の下端から第２ナットＮ２を締め付ける。
【００４４】
次に、カバー７０Ｌ、７０Ｒを便器本体１０の後部左右側面に取付ける。つまり、図７〜図９に示すように、カバー７０Ｌ、７０Ｒの上端部に形成された挿入片７１Ｌ、７１Ｒを便座装置６０と便器本体１０の上面部１２の後部との間に挿入させた後、カバー７０Ｌ、７０Ｒの下部を便器本体１０側に押し込み、嵌着部材７３Ａの嵌着部を筒部材Ｐに嵌合させる。この際、給水配管Ｓを挿通させる側の閉鎖部材７２Ｌ、７２Ｒは取り外される。このようにして、水洗式便器はトイレ室に施工される。
【実施例２】
【００４５】
実施例２の水洗式便器は、図１０に示すように、便器洗浄装置２０が洗浄水を蓄圧状態で貯留する蓄圧装置８０を有している。他の構成については実施例１と同様であり、同一の構成は同一の符号を付し詳細な説明を省略する。
【００４６】
この蓄圧装置８０は、固定プレート３０の後部の下面に取付けられている。このように、蓄圧装置８０をデッドスペースである固定プレート３０の後部の下方に配置することができるため、水洗式便器の小型化を図ることができる。
【００４７】
蓄圧装置８０は開閉弁機構の上流側の給水路を分岐した分岐路８１に接続されている。蓄圧装置８０にはバネ部材が内蔵されている。蓄圧装置８０は、開閉弁機構が閉弁されている際、洗浄水がバネ部材の付勢力に抗し、分岐路８１を介して流入し、蓄圧状態で貯留する。その後、開閉弁機構が開弁すると、蓄圧状態で貯留された洗浄水は蓄圧装置８０から分岐路８１を介して給水路に流出する。これにより、開閉弁機構を介して便器本体１０のリム通水路及びジェットノズルへ洗浄水が供給される。このため、便器洗浄を良好に行うことができる。特に、洗浄水の給水圧力が低い場合でも、便器洗浄を良好に行うことができる。
【００４８】
蓄圧装置８０は、カバー７０Ｌ、７０Ｒを便器本体１０の後部左右側面に取付ける前に固定プレート３０の後部の下面に取付ける。また、水洗式便器をトイレ室に施工した後でも、蓄圧装置８０を取り付ける側のカバー７０Ｒを取り外すことにより、固定プレート３０の後部の下面に取付けることができる。
【００４９】
本発明は、上記記述及び図面によって説明した実施例１及び２に限定されるものではなく、例えば次のような実施例も本発明の技術的範囲に含まれる。
（１）実施例１及び２では、開閉弁機構を内蔵する弁ユニットを有する便器洗浄装置を備えているが、洗浄水を貯留する洗浄タンクを固定プレートの上面に載置した便器洗浄装置であってもよい。
（２）実施例１及び２では、便器本体はジェットノズルを有しているが、ジェットノズルを有さない便器本体であってもよい。この場合、便器洗浄装置から流出する洗浄水はリム通水路のみに供給される。
（３）実施例１及び２では、補強部材を有しているが、補強部材を有さなくてもよい。
（４）実施例１及び２では、カバーを備えているが、カバーを備えなくてもよい。
【符号の説明】
【００５０】
１０…便器本体
１１…便鉢部
１２…上面部
１２Ｂ…後端面
１２Ｌ、１２Ｒ…左右側部
１４…取付孔
１５…便器排水路
１６…後端外側面
２０…便器洗浄装置
３０…固定プレート
３１…（第１）固定孔
４０Ｌ、４０Ｒ…固定部材
５０…補強部材
６０…便座装置
６２…便座
７０Ｌ、７０Ｒ…カバー
７１Ｌ、７１Ｒ…挿入片
８０…蓄圧装置
Ｂ２…取付ボルト
Ｎ２…（第２）ナット
【図１】
2010275807.tif 000003
【図２】
2010275807.tif 000004
【図３】
2010275807.tif 000005
【図４】
2010275807.tif 000006
【図５】
2010275807.tif 000007
【図６】
2010275807.tif 000008
【図７】
2010275807.tif 000009
【図８】
2010275807.tif 000010
【図９】
2010275807.tif 000011
【図１０】
2010275807.tif 000012
【手続補正書】
【提出日】平成22年3月29日(2010.3.29)
【手続補正１】
【補正対象書類名】明細書
【補正対象項目名】０００７
【補正方法】変更
【補正の内容】
【０００７】
本発明の水洗式便器は、便鉢部と、この便鉢部の上端周縁に連続し、この便鉢部の後方に延びて形成された上面部とを有する便器本体と、
外部から洗浄水が流入し、前記便鉢部へ洗浄水を流出可能な便器洗浄装置と、
前部が前記便鉢部より後方の前記上面部に載置され、後部が前記上面部から後方にはみ出しており、後部の上面に前記便器洗浄装置が取り付けられた薄板状の固定プレートとを備え、
前記便器本体は、前記便鉢部より後方の前記上面部がそれより前方の台座部よりも内側に入り込むように段差が設けられて左右幅を小さくし、かつ下方に空間を有する庇状に形成されており、
前記固定プレートは、左右端部のそれぞれから連続して垂下した第１垂下片部と、この第１垂下片部の下端に連続して水平方向に延びる水平面部とを有しており、
さらに、この水平面部に連結されて内側に延びる固定部材を備え、この固定部材と前記固定プレートとの間で庇状に形成された前記上面部の後部の左右側部を挟持して前記固定プレートが前記便器本体に取り付けられており、
前記固定プレートの前部は、上面が平坦であり、便座を回動自在に保持した便座装置を載置可能であり、便座装置を前記便器本体に取付けることにより、固定プレートの前部が便座装置の後部と便器本体の上面部の後部との間に挟持されることを特徴とする。
【手続補正２】
【補正対象書類名】明細書
【補正対象項目名】００１０
【補正方法】変更
【補正の内容】
【００１０】
前記便器本体は、前記便鉢部より後方の上面部に貫設され、所定間隔を有して左右に配置された一対の取付孔を有し、前記固定プレートはこの取付孔に対応する位置に貫設された一対の固定孔を有し、前記固定孔及び前記取付孔に収納ケースに弁ユニットの一部を収納した前記便器洗浄装置とは別体である前記便座装置の下面から下方に延びる取付ボルトが上方から挿入され、この取付ボルトの下端からナットを締め込むことにより、前記便座装置及び前記固定プレートが前記便器本体の上面部に取付けられ得る。この場合、便座装置及び便器洗浄装置が取付けられた固定プレートを容易に便器本体に取付けることができる。また、市販の便座装置もこの便器本体に取付けることができる。
【手続補正３】
【補正対象書類名】明細書
【補正対象項目名】００１１
【補正方法】変更
【補正の内容】
【００１１】
前記便器本体は、前記便鉢部の下流側に連通する便器排水路を有し、前記上面部の後端面は前記便器排水路を形成する前記便器本体の後端外側面より前方に位置し得る。この場合、便器本体の上面部の後部が前後方向に短くなり、水洗式便器の小型化を図ることができる。
【手続補正４】
【補正対象書類名】明細書
【補正対象項目名】００１２
【補正方法】変更
【補正の内容】
【００１２】
前記便器本体は、前記便鉢部より後方の前記上面部がそれより前方の台座部よりも内側に入り込むように段差が設けられて左右幅を小さくし、かつ下方に空間を有する庇状に形成されており、前記固定プレートは、左右端部のそれぞれから連続して垂下した第１垂下片部と、この第１垂下片部の下端に連続して水平方向に延びる水平面部と、この水平面部に連結されて内側に延びた固定部材とを有し、庇状に形成された前記上面部の左右側部を前記固定プレートと前記固定部材との間で挟持して前記便器本体に取り付けられている。この場合、固定プレートの前部の上面に固定部材が突出することなく、便器洗浄装置が取り付けられた固定プレートを固定部材により便器本体に強固に取付けることができる。
【手続補正５】
【補正対象書類名】明細書
【補正対象項目名】００１５
【補正方法】変更
【補正の内容】
【００１５】
前記便器本体の後部左右側面に取り付けられ、前記便器本体の上面から下方に延びて前記便器本体の後部を隠蔽する一対のカバーを備え、これら各カバーの上端部には内側に延び、前記便座装置と前記便器本体の上面部の後部との間に挿入される挿入片が形成され得る。この場合、カバーを容易に取付けることができる。また、便座装置と便器本体の上面部の後部との間の隙間がなくなるとともに、固定プレートの前部の上面と挿入片の上面とを面一にすることができるため、便座装置が左右にがたつくことがなく、取付状態を安定させることができる。
【手続補正６】
【補正対象書類名】特許請求の範囲
【補正対象項目名】全文
【補正方法】変更
【補正の内容】
【特許請求の範囲】
【請求項１】
便鉢部と、この便鉢部の上端周縁に連続し、この便鉢部の後方に延びて形成された上面部とを有する便器本体と、
外部から洗浄水が流入し、前記便鉢部へ洗浄水を流出可能な便器洗浄装置と、
前部が前記便鉢部より後方の前記上面部に載置され、後部が前記上面部から後方にはみ出しており、後部の上面に前記便器洗浄装置が取り付けられた薄板状の固定プレートとを備え、
前記便器本体は、前記便鉢部より後方の前記上面部がそれより前方の台座部よりも内側に入り込むように段差が設けられて左右幅を小さくし、かつ下方に空間を有する庇状に形成されており、
前記固定プレートは、左右端部のそれぞれから連続して垂下した第１垂下片部と、この第１垂下片部の下端に連続して水平方向に延びる水平面部とを有しており、
さらに、この水平面部に連結されて内側に延びる固定部材を備え、この固定部材と前記固定プレートとの間で庇状に形成された前記上面部の後部の左右側部を挟持して前記固定プレートが前記便器本体に取り付けられており、
前記固定プレートの前部は、上面が平坦であり、便座を回動自在に保持した便座装置を載置可能であり、便座装置を前記便器本体に取付けることにより、固定プレートの前部が便座装置の後部と便器本体の上面部の後部との間に挟持されることを特徴とする水洗式便器。
【請求項２】
前記便器本体は、前記便鉢部より後方の上面部に貫設され、所定間隔を有して左右に配置された一対の取付孔を有し、前記固定プレートはこの取付孔に対応する位置に貫設された一対の固定孔を有し、前記固定孔及び前記取付孔に収納ケースに弁ユニットの一部を収納した前記便器洗浄装置とは別体である前記便座装置の下面から下方に延びる取付ボルトが上方から挿入され、この取付ボルトの下端からナットを締め込むことにより、前記便座装置及び前記固定プレートが前記便器本体の上面部に取付けられることを特徴とする請求項１記載の水洗式便器。
【請求項３】
前記便器本体は、前記便鉢部の下流側に連通する便器排水路を有し、前記上面部の後端面は前記便器排水路を形成する前記便器本体の後端外側面より前方に位置していることを特徴とする請求項１又は２記載の水洗式便器。
【請求項４】
前記便器洗浄装置は洗浄水を蓄圧状態で貯留する蓄圧装置を有し、この蓄圧装置は前記固定プレートの後部の下面に取り付けられていることを特徴とする請求項１乃至３のいずれか１項記載の水洗式便器。
【請求項５】
前記便器本体の後部左右側面に取り付けられ、前記便器本体の上面から下方に延びて前記便器本体の後部を隠蔽する一対のカバーを備え、これら各カバーの上端部には内側に延び、前記便座装置と前記便器本体の上面部の後部との間に挿入される挿入片が形成されていることを特徴とする請求項１乃至４のいずれか１項記載の水洗式便器。
【請求項６】
便鉢部と、この便鉢部の上端周縁に連続し、この便鉢部の後方に延びて形成された上面部とを有する便器本体と、
外部から洗浄水が流入し、前記便鉢部へ洗浄水を流出可能な便器洗浄装置と、
前部が前記便鉢部より後方の前記上面部に載置され、後部が前記上面部から後方にはみ出しており、後部の上面に前記便器洗浄装置が取り付けられた薄板状の固定プレートとを備え、
一端を前記固定プレートに連結させ、他端を前記便器本体の後部外側面に当接させて前記固定プレートを水平状態に保持する補強部材を有しており、
前記固定プレートの前部は、上面が平坦であり、便座を回動自在に保持した便座装置を載置可能であり、便座装置を前記便器本体に取付けることにより、固定プレートの前部が便座装置の後部と便器本体の上面部の後部との間に挟持されることを特徴とする水洗式便器。